(57)【特許請求の範囲】
【請求項１】
屋外に設置される看板装置であって、太陽電池と、前記太陽電池で発電された直流電力に基づいて作動用電力を生成する電源回路と、前記作動用電力で充電されるバッテリと、表面に形成された看板情報について昼間においては照射される太陽光によって表示させると共に夜間においては前記バッテリに充電されている充電電力に基づいて作動する内蔵のバックライトから照射される照射光によって表示させる表示部と、緊急警報信号を受信する受信回路と、前記充電電力に基づいて携帯端末に供給するための供給電力を生成する端末用電源回路と、一端側が前記端末用電源回路に接続されると共に他端側に前記携帯端末用のコネクタが接続されて当該コネクタに連結された前記携帯端末に前記供給電力を供給可能な複数の充電ケーブルと、内部に前記複数の充電ケーブルが格納された格納ボックスと、前記格納ボックスの壁部に開閉可能に配設されると共に閉状態において前記複数の充電ケーブルを格納状態に維持する扉と、解除信号が入力されていないときには前記扉を閉状態に維持すると共に当該解除信号が入力されたときには前記扉を開状態に移行させる鍵機構と、前記バックライトに対する点灯消灯制御および前記鍵機構に対する制御を実行する制御回路とを備え、
前記制御回路は、
前記受信回路が前記緊急警報信号を受信していない通常時には、前記バックライトに対しては昼間は消灯させ、かつ夜間は点灯させる制御を実行すると共に、前記鍵機構に対しては前記扉を閉状態に維持する制御を実行し、
前記受信回路が前記緊急警報信号を受信した緊急時には、前記鍵機構に対して前記扉を開状態に移行させる制御を実行することにより、当該開状態に移行した扉を介して前記複数の充電ケーブルを前記格納ボックスから垂れ下がらせる看板装置。
【請求項２】
屋外に設置される看板装置であって、太陽電池と、前記太陽電池で発電された直流電力に基づいて第１作動用電力を生成する第１電源回路と、入力される商用電源に基づいて第２作動用電力を生成する第２電源回路と、前記第２作動用電力が生成されているときには当該第２作動用電力で充電されると共に当該第２作動用電力が生成されていないときであって前記第１作動用電力が生成されているときには当該第１作動用電力で充電されるバッテリと、表面に形成された看板情報について昼間においては照射される太陽光によって表示させると共に夜間においては前記第２作動用電力が生成されているときには当該第２作動用電力に基づいて作動すると共に当該第２作動用電力が生成されていないときには前記バッテリに充電されている充電電力に基づいて作動する内蔵のバックライトから照射される照射光によって表示させる表示部と、前記商用電源が予め規定された規定時間以上連続して入力されていない緊急状態を検出する緊急状態検出回路と、前記第２作動用電力が生成されているときには当該第２作動用電力に基づいて携帯端末に供給するための供給電力を生成すると共に当該第２作動用電力が生成されていないときには前記充電電力に基づいて当該供給電力を生成する端末用電源回路と、一端側が前記端末用電源回路に接続されると共に他端側に前記携帯端末用のコネクタが接続されて当該コネクタに連結された前記携帯端末に前記供給電力を供給可能な複数の充電ケーブルと、内部に前記複数の充電ケーブルが格納された格納ボックスと、前記格納ボックスの壁部に開閉可能に配設されると共に閉状態において前記複数の充電ケーブルを格納状態に維持する扉と、解除信号が入力されていないときには前記扉を閉状態に維持すると共に当該解除信号が入力されたときには前記扉を開状態に移行させる鍵機構と、前記バックライトに対する点灯消灯制御および前記鍵機構に対する制御を実行する制御回路とを備え、
前記制御回路は、
前記緊急状態検出回路が前記緊急状態を検出していない通常時には、前記バックライトに対しては昼間は消灯させ、かつ夜間は点灯させる制御を実行すると共に、前記鍵機構に対しては前記扉を閉状態に維持する制御を実行し、
前記緊急状態検出回路が前記緊急状態を検出した緊急時には、前記鍵機構に対して前記扉を開状態に移行させる制御を実行することにより、当該開状態に移行した扉を介して前記複数の充電ケーブルを前記格納ボックスから垂れ下がらせる看板装置。
【請求項３】
前記表示部の前記表面には、前記看板情報と共に、前記緊急時に前記携帯端末の充電設備となる旨を示す情報が形成されている請求項１または２記載の看板装置。
【請求項４】
前記バックライトは、前記看板情報に対応する第１バックライトと、前記充電設備となる旨を示す前記情報に対応する第２バックライトとを備え、
前記制御回路は、前記緊急時には、前記第１バックライトおよび前記第２バックライトに対しては昼間は消灯させ、かつ夜間は前記第２バックライトのみを点灯させる制御を実行する請求項３記載の看板装置。
【発明の詳細な説明】
【技術分野】
【０００１】
本発明は、広告や施設などへの経路案内などを表示する看板装置に関するものである。
【背景技術】
【０００２】
この看板装置の一例として、下記の特許文献１において開示されている異種表示機能看板装置が知られている。この看板装置は、おもて面側に視覚表示層（広告や施設などへの経路案内などを表示する表示層。以下、第１視覚表示層ともいう）を有する視覚制御シートとこの視覚制御シートのうら面側に配置されたエレクトロルミネッセンス面光源とを有すると共に視覚制御シートとエレクトロルミネッセンス面光源との中間に他の視覚表示層（災害時の避難誘導案内を表示する表示層。以下、第２視覚表示層ともいう）を有してなる表示部と、太陽電池（太陽光パネル）およびこの太陽電池からの電力を充電する蓄電池を有する電源部と、例えば防災無線放送を受信する信号制御手段とを備えている。
【０００３】
この看板装置では、この信号制御手段からの信号をうけて、エレクトロルミネッセンス面光源の点灯／消灯または点滅の制御や、エレクトロルミネッセンス面光源の輝度の制御が実施される。また、この看板装置では、表示部が上記のような構造を有することで、表示部をおもて面側から見たときに、エレクトロルミネッセンス面光源が消灯されている間は第１視覚表示層のみが視認され、エレクトロルミネッセンス面光源が点灯されている間は、第１視覚表示層に代えて、視覚制御シートの開孔部を通して第２視覚表示層が現出する。
【０００４】
したがって、この看板装置によれば、普段は看板として表示部に通常の表示（広告や施設などへの経路案内などの表示）を行い、防災無線放送を受信したとき（災害の発生時）には、避難誘導案内を自動的に表示部に現出（表示）させることが可能となっている。
【０００５】
ところで、災害時には、被災者にとって他者との情報交換のためのツールであると共に種々の情報へのアクセスのためのツールでもある携帯端末（携帯電話やスマートフォンなどの多機能携帯電話も含む）は極めて重要な装置となるが、災害の発生に起因して長期に亘って停電（電灯線を介しての商用電源（ＡＣ１００Ｖなど）の供給が停止すること）したときには、携帯端末への充電に多くの人が不自由するという事態が発生することがある。このため、災害時において被災者に対して携帯端末を充電し得る充電設備や充電装置を少しでも多く提供することが望まれている。この要望をかなえるべく、看板装置とは異なる装置であるが、例えば下記の特許文献２において開示されている屋外避難誘導灯が提案されている。この屋外避難誘導灯は、非停電時には商用電源を電源とし、また停電時には太陽光などを電源として蓄電池を充電し得る充電器を備え、蓄電池に充電されている電力を出力コンセント（携帯電話充電コンセント）および街灯に供給可能に構成されている。
【先行技術文献】
【特許文献】
【０００６】
【特許文献１】特開２０１４−１６３９３号公報（第５−１０頁、第１−４図）
【特許文献２】特開２０１４−８５７５６号公報（第３−４頁、第１−３図）
【発明の概要】
【発明が解決しようとする課題】
【０００７】
しかしながら、上記の屋外避難誘導灯の普及が進んだとしても、災害の規模が大きな時には、被災者の数も多数にのぼることから、上記のような充電設備や充電装置が不足する事態も想定される。このため、災害の発生時（緊急時）においてこの種の充電設備等を被災者に対してさらに多く提供し得る環境を整える必要があるという課題がある。
【０００８】
本発明は、かかる課題に鑑みてなされたものであり、緊急時に被災者が携帯端末を充電可能な充電設備として機能し得る看板装置を提供することを主目的とする。
【課題を解決するための手段】
【０００９】
上記目的を達成すべく請求項１記載の看板装置は、屋外に設置される看板装置であって、太陽電池と、前記太陽電池で発電された直流電力に基づいて作動用電力を生成する電源回路と、前記作動用電力で充電されるバッテリと、表面に形成された看板情報について昼間においては照射される太陽光によって表示させると共に夜間においては前記バッテリに充電されている充電電力に基づいて作動する内蔵のバックライトから照射される照射光によって表示させる表示部と、緊急警報信号を受信する受信回路と、前記充電電力に基づいて携帯端末に供給するための供給電力を生成する端末用電源回路と、一端側が前記端末用電源回路に接続されると共に他端側に前記携帯端末用のコネクタが接続されて当該コネクタに連結された前記携帯端末に前記供給電力を供給可能な複数の充電ケーブルと、内部に前記複数の充電ケーブルが格納された格納ボックスと、前記格納ボックスの壁部に開閉可能に配設されると共に閉状態において前記複数の充電ケーブルを格納状態に維持する扉と、解除信号が入力されていないときには前記扉を閉状態に維持すると共に当該解除信号が入力されたときには前記扉を開状態に移行させる鍵機構と、前記バックライトに対する点灯消灯制御および前記鍵機構に対する制御を実行する制御回路とを備え、前記制御回路は、前記受信回路が前記緊急警報信号を受信していない通常時には、前記バックライトに対しては昼間は消灯させ、かつ夜間は点灯させる制御を実行すると共に、前記鍵機構に対しては前記扉を閉状態に維持する制御を実行し、前記受信回路が前記緊急警報信号を受信した緊急時には、前記鍵機構に対して前記扉を開状態に移行させる制御を実行することにより、当該開状態に移行した扉を介して前記複数の充電ケーブルを前記格納ボックスから垂れ下がらせる。
【００１０】
また、請求項２記載の看板装置は、屋外に設置される看板装置であって、太陽電池と、前記太陽電池で発電された直流電力に基づいて第１作動用電力を生成する第１電源回路と、入力される商用電源に基づいて第２作動用電力を生成する第２電源回路と、前記第２作動用電力が生成されているときには当該第２作動用電力で充電されると共に当該第２作動用電力が生成されていないときであって前記第１作動用電力が生成されているときには当該第１作動用電力で充電されるバッテリと、表面に形成された看板情報について昼間においては照射される太陽光によって表示させると共に夜間においては前記第２作動用電力が生成されているときには当該第２作動用電力に基づいて作動すると共に当該第２作動用電力が生成されていないときには前記バッテリに充電されている充電電力に基づいて作動する内蔵のバックライトから照射される照射光によって表示させる表示部と、前記商用電源が予め規定された規定時間以上連続して入力されていない緊急状態を検出する緊急状態検出回路と、前記第２作動用電力が生成されているときには当該第２作動用電力に基づいて携帯端末に供給するための供給電力を生成すると共に当該第２作動用電力が生成されていないときには前記充電電力に基づいて当該供給電力を生成する端末用電源回路と、一端側が前記端末用電源回路に接続されると共に他端側に前記携帯端末用のコネクタが接続されて当該コネクタに連結された前記携帯端末に前記供給電力を供給可能な複数の充電ケーブルと、内部に前記複数の充電ケーブルが格納された格納ボックスと、前記格納ボックスの壁部に開閉可能に配設されると共に閉状態において前記複数の充電ケーブルを格納状態に維持する扉と、解除信号が入力されていないときには前記扉を閉状態に維持すると共に当該解除信号が入力されたときには前記扉を開状態に移行させる鍵機構と、前記バックライトに対する点灯消灯制御および前記鍵機構に対する制御を実行する制御回路とを備え、前記制御回路は、前記緊急状態検出回路が前記緊急状態を検出していない通常時には、前記バックライトに対しては昼間は消灯させ、かつ夜間は点灯させる制御を実行すると共に、前記鍵機構に対しては前記扉を閉状態に維持する制御を実行し、前記緊急状態検出回路が前記緊急状態を検出した緊急時には、前記鍵機構に対して前記扉を開状態に移行させる制御を実行することにより、当該開状態に移行した扉を介して前記複数の充電ケーブルを前記格納ボックスから垂れ下がらせる。
【００１１】
また、請求項３記載の看板装置は、請求項１または２記載の看板装置において、前記表示部の前記表面には、前記看板情報と共に、前記緊急時に前記携帯端末の充電設備となる旨を示す情報が形成されている。
【００１２】
また、請求項４記載の看板装置は、請求項３記載の看板装置において、前記バックライトは、前記看板情報に対応する第１バックライトと、前記充電設備となる旨を示す前記情報に対応する第２バックライトとを備え、前記制御回路は、前記緊急時には、前記第１バックライトおよび前記第２バックライトに対しては昼間は消灯させ、かつ夜間は前記第２バックライトのみを点灯させる制御を実行する。
【発明の効果】
【００１３】
請求項１記載の看板装置および請求項２記載の看板装置によれば、通常時には看板として機能しつつ、災害発生時のような緊急時においては充電設備として機能して、被災者たちに対して、格納ボックスから垂れ下がっている充電ケーブルを用いた携帯端末の充電を可能にすることができる（つまり、被災者に対して、より多くの充電設備を提供することができる）。また、この看板装置によれば、緊急時に格納ボックスから充電ケーブルが垂れ下がるという構成（通常時とは異なる形態に変化する構成）のため、この看板装置が充電設備も兼ねていて、かつ充電設備としての機能を発揮している状態にあることを、被災者たちに対してより確実に認識させることができる。
【００１４】
また、請求項３記載の看板装置によれば、表示部の表面には、看板情報と共に、緊急時に携帯端末の充電設備となる旨を示す情報が形成されているため、通常時および緊急時のいずれのときにおいても、昼間は、被災者たちはこの充電設備となる旨を示す情報を視認することができることから、この看板装置が緊急時における端末充電設備になることを被災者たちに対して確実に認識させることができる。
【００１５】
また、請求項４記載の看板装置によれば、緊急時の夜間には、第２バックライトのみが点灯されて、表示部には、緊急時に携帯端末の充電設備となる旨を示す情報が表示されるため、緊急時の夜間においても、この看板装置が緊急時における端末充電設備であることを被災者たちに対して確実に認識させつつ、第１バックライトを消灯させていることから表示部での消費電力を大幅に低減できて、その分だけ、より多くの携帯端末を充電可能にすることができる。
【図面の簡単な説明】
【００１６】
【図１】看板装置１，１Ａの外観構成を示す正面図である。
【図２】看板装置１の構成を示す構成図である。
【図３】格納ボックス４から複数の充電ケーブル３２が垂れ下がる構成を説明するための説明図である。
【図４】看板装置１Ａの構成を示す構成図である。
【発明を実施するための形態】
【００１７】
以下、看板装置の実施の形態について、添付図面を参照して説明する。
【００１８】
最初に、看板装置の一例である看板装置１の構成について、図１〜図３を参照して説明する。看板装置１は、図１に示すように、一例として、表示部２、太陽電池３、格納ボックス４および支柱５を備え、表示部２、太陽電池３および格納ボックス４が地面Ｇに設けられた土台６に立設された支柱５にそれぞれ取り付けられることで、屋外に設置される。
【００１９】
表示部２は、図１，２に示すように、表示部本体１１、パネル１２、バックライト１３（図２参照）および駆動回路１４（図２参照）を備え、支柱５の中間部から上部にかけて取り付けられている。表示部本体１１は、一例として、正面が開口する正面視長方形（例えば縦長の長方形）の箱体に形成されている。
【００２０】
パネル１２は、透光性を有する樹脂材料を用いて平板状に形成されている。また、パネル１２は、表示部本体１１の正面に配設されて表示部本体１１の開口部位を閉塞する。また、パネル１２は、一例として、透光性を有する乳白色のアクリル板で構成されて、その表面（外面）には、看板情報（広告や施設などへの経路案内などを表示する情報。本例では、「△△のご用命は○○会社」の文字と共に電話およびファクシミリの電話番号）を表す文字（数字も含む）や図形や記号などが印刷またはカッティングシートによって形成されている。また、パネル１２の表面（外面）には、上記の看板情報と共に非看板情報（緊急時に携帯電話やスマートフォンなどの携帯端末の充電設備となる旨を表示する情報。本例では、「緊急時における端末充電設備」の文字など）が印刷またはカッティングシートによって形成されている。本例では一例として、非看板情報は、パネル１２の表面（外面）における看板情報の形成領域ＡＲ１の下側に位置する他の形成領域ＡＲ２に形成されているが、これに限定されるものではなく、看板情報の右横、左横および上側のうちのいずれに形成してもよい。
【００２１】
この構成により、表示部２は、昼間においては、照射される太陽光により、パネル１２の表面に形成された看板情報および非看板情報を表示させる（可視状態にさせる）と共に、夜間においては、パネル１２の裏面（内面）側に配設されたバックライト１３が点灯した際にパネル１２に照射する照射光により、看板情報および非看板情報を表示させる（可視状態にさせる）。
【００２２】
また、本例では、バックライト１３は、発光ダイオード（ＬＥＤ）と、発光ダイオードに直列に接続されてここに流れる電流を予め規定された電流値に制限するための制限抵抗とで構成されている。
【００２３】
駆動回路１４は、一例として、格納ボックス４内に配設された後述の制御回路２５から出力される制御信号Ｓａによってオン・オフ制御される不図示の複数のスイッチ素子（例えば、ｎｐｎ型のバイポーラ型トランジスタやｎチャネル電界効果型トランジスタなどの半導体スイッチ素子）で構成されている。本例では一例として、スイッチ素子は、バックライト１３のうちのパネル１２の表面における看板情報の形成領域ＡＲ１に対応するバックライト（つまり、看板情報に対応する第１バックライト）１３ａ、およびバックライト１３のうちのパネル１２の表面における非看板情報の形成領域ＡＲ２に対応するバックライト（つまり、非看板情報に対応する第２バックライト）１３ｂ毎に個別に設けられている。このため、制御回路２５は、各バックライト１３ａ，１３ｂに個別に対応する制御信号Ｓａとして、制御信号Ｓａ１，Ｓａ２を出力する。また、スイッチ素子は、対応するバックライトを構成する発光ダイオードと、この発光ダイオードに接続された制限抵抗とに直列に接続された状態で、格納ボックス４内に配設された後述のバッテリ２２の負極端子と正極端子との間に配設されている。この構成により、駆動回路１４では、制御信号Ｓａによってオフ状態からオン状態に移行させられたスイッチ素子に接続された発光ダイオードには、制限抵抗を介してバッテリ２２の充電電力としての充電電圧Ｖｂａｔが印加されることで駆動電流が流れる。これにより、この発光ダイオードで構成されたバックライト１３が点灯する。
【００２４】
太陽電池（太陽光パネル）３は、一例として図１に示すように、支柱５の上部に取り付けられている。また、太陽電池３は、支柱５の内部に配設された不図示の配線を介して格納ボックス４内に配設された後述の電源回路２１（図２参照）および制御回路２５（図２参照）に接続されて、発電した直流電力としての起電力Ｖｓｏを電源回路２１および制御回路２５に出力する。
【００２５】
格納ボックス４は、一例として図１に示すように外形が直方体に形成されて、支柱５の下部に取り付けられている。格納ボックス４には、一例として、電源回路２１、バッテリ（蓄電池）２２、端末用電源回路２３、受信回路２４、制御回路２５、充電設備２６および鍵機構２７が内蔵されている。また、格納ボックス４の壁部の一部（本例では壁部としての底壁４ａの一部）には、図２に示すように開口部４ｂが形成されると共に、この開口部４ｂを閉塞するための扉２８が外開き式で開閉自在に取り付けられている。一例として、扉２８は、平面視形状が方形に形成されて、対向する一対の縁部のうちの一方の縁部が底壁４ａに例えばヒンジ構造によって軸線Ｌを中心として回動自在に取り付けられている。また、扉２８における上記の一対の縁部のうちの他方の縁部には、鍵機構２７の後述する係合突起２７ａが係合可能な凹部を有する係合部２８ａが配設されている。
【００２６】
電源回路２１は、太陽電池３から出力される起電力Ｖｓｏに基づいて作動用電力Ｖｐｓ（看板装置１に配設された各回路のための作動用の直流電力）を生成する。具体的には、電源回路２１は、太陽電池３から出力される起電力Ｖｓｏを入力して、この起電力Ｖｓｏが予め規定された電圧しきい値以上のとき（つまり昼間）には、充電電圧Ｖｂａｔ（バッテリ２２の定格電圧）まで降圧することにより作動用電力Ｖｐｓを生成する。また、電源回路２１は、生成している作動用電力Ｖｐｓを、バッテリ２２の負極端子と正極端子との間に供給すると共に、端末用電源回路２３、受信回路２４、制御回路２５および表示部２の駆動回路１４に供給する。
【００２７】
バッテリ２２は、昼間は、電源回路２１から供給される作動用電力Ｖｐｓによって充電電圧Ｖｂａｔに充電され、夜間は、電源回路２１に代わり、充電（蓄電）されている電力（上記の充電電圧Ｖｂａｔ）を作動用電力Ｖｐｓとして、端末用電源回路２３、受信回路２４、制御回路２５および表示部２の駆動回路１４に供給する。
【００２８】
端末用電源回路２３は、制御回路２５から出力される生成開始信号Ｓｃを入力しているときに作動して、作動用電力Ｖｐｓ（充電電圧Ｖｂａｔ）に基づいて携帯端末５１（図３参照）に供給するための供給電力としての供給電圧（定電圧）Ｖｃｈを生成する。この場合、端末用電源回路２３は、充電設備２６に配設されている後述の充電ケーブル３２の本数分の系統数だけ供給電圧Ｖｃｈを生成する。現在の携帯端末（携帯電話やスマートフォンなど）の多くは充電電圧が約５Ｖであることから、端末用電源回路２３は、充電電圧Ｖｂａｔを約５Ｖに降圧して供給電圧Ｖｃｈとして上記の系統数だけ生成する。また、端末用電源回路２３は、各系統の供給電圧Ｖｃｈについて、供給電流に対して予め規定された上限電流値（例えば、５００ｍＡや１Ａなど）を設けて生成する。
【００２９】
受信回路２４は、例えば、ラジオ放送を受信するための不図示のアンテナおよび受信モジュール（いずれも作動用電力Ｖｐｓ（充電電圧Ｖｂａｔ）の供給を受けて作動するもの）を備えて構成されて、緊急警報信号（例えば、地震警報のための信号や津波警報のための信号や雪崩警報のための信号など）を受信する。また、受信回路２４は、緊急警報信号を受信したときには緊急信号Ｓｂを制御回路２５に出力する。
【００３０】
制御回路２５は、例えば、作動用電力Ｖｐｓの供給を受けて作動するＡ／Ｄ変換器およびコンピュータ（いずれも図示せず）を備えて構成されて、緊急信号Ｓｂの入力の有無に基づいて緊急状態であるか否かを検出する緊急状態検出処理、起電力Ｖｓｏの電圧値を監視する電圧監視処理、端末用電源回路２３に対する制御処理、および鍵機構２７に対する制御処理を実行する。この端末用電源回路２３に対する制御処理において、制御回路２５は、端末用電源回路２３に生成開始信号Ｓｃを出力したり、この出力を停止したりする処理を実行する。また、この鍵機構２７に対する制御処理において、制御回路２５は、鍵機構２７に解除信号Ｓｄを出力したり、この出力を停止したりする処理を実行する。
【００３１】
また、制御回路２５は、表示部２（表示部２内の駆動回路１４）に制御信号Ｓａを出力したり、この出力を停止したりする点灯消灯制御処理を実行する。この点灯消灯制御処理において、制御回路２５は、電圧値が一定となるレベル信号を制御信号Ｓａとして出力して、駆動回路１４を構成するスイッチ素子を連続的にオンさせてもよい（つまり、バックライト１３をスタティック点灯させてもよい）が、パルス信号（例えば周波数が数百Ｈｚで、デューティ比が０．５程度のパルス信号）を制御信号Ｓａとして出力して、駆動回路１４を構成するスイッチ素子を断続的にオンさせる（つまり、バックライト１３をダイナミック点灯させる）ことで、バックライト１３での消費電力を低減させるのが好ましい。
【００３２】
充電設備２６は、一例として、端子台３１、および複数（上記した供給電圧Ｖｃｈの系統数と同数）の充電ケーブル３２を備えている。また、各充電ケーブル３２は、一端側が端末用電源回路２３に接続（本例では一例として、端子台３１を経由して接続）されると共に、他端側に携帯端末５１用のコネクタ３３が接続されている。この構成により、充電設備２６は、各充電ケーブル３２のコネクタ３３に連結された携帯端末５１に供給電圧Ｖｃｈを供給することが可能となっている。また、充電設備２６は、図１，２に示すように、格納ボックス４内における開口部４ｂの上方（扉２８の上方でもある）に配設されて、扉２８が図３に示すように開状態となったときには、各充電ケーブル３２の下端側の部位（コネクタ３３を含む部位）が自重によって開口部４ｂから垂れ下がることが可能となっている。この場合、携帯端末５１へのコネクタ３３の接続が容易に行え、かつコネクタ３３が地面Ｇに触れないようにすべく、各充電ケーブル３２は、コネクタ３３が人の腰の高さ程度になるように垂れ下がる構成が好ましい。
【００３３】
なお、各充電ケーブル３２は、図２において模式的に示すような伸縮可能なカールコード式の電線で構成されているのが好ましいが、図示はしないが、直線状の電線が折り畳まれで構成されたり、支持軸に回転自在な状態で取り付けられたローラに直線状の電線が巻き取られて構成されていてもよい。また、各充電ケーブル３２については、自重によって垂れ下がる構成に代えて、予め電動ローラに巻き取られていたものをこの電動ローラを作動させて巻きほどくことで垂れ下がらせる構成を採用することもできる。また、コネクタ３３は、多種のコネクタ（各キャリアの携帯電話専用のコネクタやスマートフォンのメーカ専用のコネクタ）が一体化されたいわゆるマルチ式のコネクタが好ましいが、これに限定されるものではない。
【００３４】
鍵機構２７は、一例として電磁ソレノイドを用いて構成されている。この電磁ソレノイドは、制御回路２５から解除信号（電磁ソレノイドの駆動信号）Ｓｄが出力されていないときには、ケース内に配設されたバネの付勢力によってプランジャ（可動鉄心）の先端部がケースから最も多く突出する状態に維持される。一方、電磁ソレノイドは、制御回路２５から解除信号Ｓｄが出力されているときには、ケース内に配設されたコイルに発生する磁界によってプランジャがバネの付勢力に抗してケース内に配設された固定鉄心に引き寄せられて、プランジャの先端（係合突起２７ａ）がケースから最も少なく突出する状態に移行する。
【００３５】
この鍵機構２７では、このプランジャの先端部が格納ボックス４の扉２８に配設された係合部２８ａの凹部と係合可能な係合突起２７ａとして機能して、鍵機構２７は、扉２８が閉状態（開口部４ｂを閉塞する状態）にあるときにおいて、制御回路２５から解除信号Ｓｄが出力されていないときには、プランジャの先端部（係合突起２７ａ）が係合部２８ａの凹部と係合することで、扉２８を閉状態に維持する。一方、鍵機構２７は、扉２８を閉状態に維持している状態において、制御回路２５から解除信号Ｓｄが出力されたときには、プランジャの先端部（係合突起２７ａ）がケース内に移動して、係合部２８ａの凹部との係合状態が解除される（扉２８を開状態に移行させる）。この場合、格納ボックス４の底壁４ａに配設されている扉２８は、自重により、ヒンジ構造によって軸線Ｌを中心として回動自在に底壁４ａに取り付けられた一方の縁部（具体的には上記の軸線Ｌ）を中心として回動することで、図３に示すように開状態に移行する。
【００３６】
次に、看板装置１の動作について説明する。
【００３７】
この看板装置１では、設置完了時において、すべての充電ケーブル３２が格納ボックス４内に格納された状態で、扉２８によって格納ボックス４の開口部４ｂが閉塞され、かつ扉２８に配設されている係合部２８ａが鍵機構２７の係合突起２７ａと係合させられているものとする。
【００３８】
また、看板装置１では、太陽電池３および電源回路２１が故障するなどの不具合が発生しない限りは、昼間、太陽電池３が起電力Ｖｓｏを発電するため、電源回路２１は、この起電力Ｖｓｏに基づいて作動用電力Ｖｐｓ（充電電圧Ｖｂａｔ）を常時出力している。このため、バッテリ２２は、この作動用電力Ｖｐｓにより、昼間、ほぼ満充電の状態（端子間電圧が充電電圧Ｖｂａｔの状態）に充電される。
【００３９】
また、制御回路２５を含む格納ボックス４内の各回路、および表示部２内の駆動回路１４は、昼間は、電源回路２１から出力される作動用電力Ｖｐｓにより、また夜間は、電源回路２１に代えてバッテリ２２から供給される作動用電力Ｖｐｓにより、つまり、昼夜を問わず、この作動用電力Ｖｐｓにより、作動可能な状態となっている。なお、受信回路２４および制御回路２５については、常時作動状態となっている。以下において、受信回路２４が緊急警報信号を受信していない通常時（つまり、制御回路２５が常時実行している緊急状態検出処理において緊急信号Ｓｂの入力を検出していないとき）と、緊急警報信号を受信している緊急時（つまり、制御回路２５が常時実行している緊急状態検出処理において緊急信号Ｓｂの入力を検出しているとき）とに分けて、看板装置１の動作を説明する。
【００４０】
最初に、通常時には、制御回路２５は、電圧監視処理を実行して、監視している起電力Ｖｓｏの電圧値が予め規定された電圧しきい値以下となるか否かに基づいて、屋外の明るさが予め規定された基準の明るさ以下となっているか否か（つまり、屋外の明るさがこの基準の明るさを超える昼間であるか、この基準の明るさ以下となる夜間であるか）を判別する。制御回路２５は、起電力Ｖｓｏの電圧値がこの電圧しきい値を超えているときには、屋外が十分に明るい（つまり昼間である）と判別して、表示部２（表示部２の駆動回路１４）への制御信号Ｓａの出力を停止する点灯消灯制御を実行する。この場合、表示部２では、パネル１２の表面に形成された看板情報および非看板情報は、照射される太陽光によって表示される（可視状態になる）。
【００４１】
一方、制御回路２５は、起電力Ｖｓｏの電圧値がこの電圧しきい値以下のときには、屋外が暗い（つまり夜間である）と判別して、制御信号Ｓａ（この場合、各制御信号Ｓａ１，Ｓａ２）を表示部２に出力する点灯消灯制御を実行する。表示部２の駆動回路１４は、この制御信号Ｓａ１に基づいて、パネル１２の表面における看板情報の形成領域ＡＲ１に対応するバックライト１３ａを点灯させると共に、この制御信号Ｓａ２に基づいて、パネル１２の表面における非看板情報の形成領域ＡＲ２に対応するバックライト１３ｂを点灯させる。これにより、表示部２では、パネル１２の表面における形成領域ＡＲ１に形成された看板情報が、点灯状態のバックライト１３ａから照射される照射光によって表示される（可視状態になる）と共に、パネル１２の表面における形成領域ＡＲ２に形成された非看板情報が、点灯状態のバックライト１３ｂから照射される照射光によって表示される（可視状態になる）。
【００４２】
このようにして、通常時には、この看板装置１では、表示部２の看板情報（図１での「△△のご用命は○○会社・・・」の文字など）および非看板情報（図１での「緊急時における端末充電設備」の文字）が、昼間は照射される太陽光によって表示され、夜間は点灯状態のバックライト１３ａ，１３ｂから照射される照射光によって表示されるため、看板装置１の付近を通過する人に対して常時（２４時間）、看板情報および非看板情報を表示することが可能となっている。これにより、看板装置１は、看板装置１の付近を通過する人に対して、常時、看板としての機能を発揮し得ると共に、緊急時にはこの看板装置１が端末充電設備となることを知らしめることが可能となっている。
【００４３】
また、通常時には、制御回路２５は、端末用電源回路２３に対する制御処理として、端末用電源回路２３への生成開始信号Ｓｃの出力を停止する処理を実行する。これにより、端末用電源回路２３が作動用電力Ｖｐｓ（充電電圧Ｖｂａｔ）に基づく供給電圧Ｖｃｈの生成を停止するため、作動用電力Ｖｐｓについての不要な消費が回避される。また、制御回路２５は、鍵機構２７に対する制御処理として、鍵機構２７への解除信号Ｓｄの出力を停止する処理を実行する。これにより、鍵機構２７の係合突起２７ａ（本例ではプランジャの先端部）と格納ボックス４の扉２８に配設された係合部２８ａ（その凹部）との係合状態が維持されて、扉２８の閉状態が維持される。つまり、看板装置１の付近を通過する人に対して、充電設備２６を構成する各充電ケーブル３２へのアクセスを制限することが可能となっている。
【００４４】
一方、緊急時には、受信回路２４は、緊急警報信号を受信して緊急信号Ｓｂを制御回路２５に出力する。制御回路２５は、常時実行している緊急状態検出処理において緊急信号Ｓｂの入力を検出して、災害などの緊急事態が発生したことを検出する。この場合、制御回路２５は、昼夜を問わず、端末用電源回路２３に対する制御処理として、生成開始信号Ｓｃを端末用電源回路２３に出力する処理を実行する。これにより、端末用電源回路２３は、昼間は主として電源回路２１から出力される作動用電力Ｖｐｓに基づいて、一方、夜間はバッテリ２２から出力される作動用電力Ｖｐｓに基づいて、供給電圧Ｖｃｈの生成を実行する。このため、昼夜を問わず、充電設備２６を構成するすべての充電ケーブル３２に供給電圧Ｖｃｈが供給される。
【００４５】
また、制御回路２５は、緊急時には、昼夜を問わず、鍵機構２７に対する制御処理として、解除信号Ｓｄを鍵機構２７に出力する処理を実行する。これにより、鍵機構２７の係合突起２７ａ（本例ではプランジャの先端部）が、最も多く突出する状態（図２に示す状態）から最も少なく突出する状態（図３に示す状態）に移行する。このため、図３に示すように、鍵機構２７の係合突起２７ａと格納ボックス４の扉２８に配設された係合部２８ａ（その凹部）との係合状態が解除されて、扉２８が開状態に移行する。また、扉２８の開状態への移行に伴い、充電設備２６を構成するすべての充電ケーブル３２の下端側の部位が、格納ボックス４の底壁４ａに形成された開口部４ｂを介して格納ボックス４の外部（下方）に垂れ下がる。
【００４６】
したがって、看板装置１の付近の人は、緊急時において、格納ボックス４から垂れ下がっている充電ケーブル３２にアクセスして（充電ケーブル３２を手で操作して）、充電ケーブル３２に接続されているコネクタ３３を自身の持つ携帯端末５１の充電用コネクタに連結することで、昼夜を問わず、端末用電源回路２３から充電ケーブル３２に供給される供給電圧Ｖｃｈで携帯端末５１を充電することができる。なお、制御回路２５による端末用電源回路２３に対する上記の制御処理と鍵機構２７に対する上記の制御処理の実行の先後については、いずれの制御処理を先に実行してもよい。
【００４７】
なお、緊急時には、看板装置１を看板として機能させることよりも、端末充電設備として機能させることが優先される。このため、制御回路２５は、電圧監視処理を実行して、屋外が暗い（つまり夜間である）と判別したときには、各制御信号Ｓａ１，Ｓａ２のうちの制御信号Ｓａ２のみを表示部２に出力する点灯消灯制御を実行する。表示部２の駆動回路１４は、この制御信号Ｓａ２に基づいて、パネル１２の表面における非看板情報の形成領域ＡＲ２に対応するバックライト１３ｂのみを点灯させる。これにより、表示部２では、パネル１２の表面における形成領域ＡＲ２に形成された非看板情報だけが、点灯状態のバックライト１３ｂから照射される照射光によって表示される。この構成により、この看板装置１では、夜間に、この看板装置１が緊急時における端末充電設備であることを示す非看板情報を表示部２に表示させつつ、緊急時の夜間における表示部２での消費電力を大幅に低減できて、その分だけ、より多くの携帯端末５１を充電することが可能となっている。
【００４８】
また、緊急時であっても、昼間はパネル１２の表面に形成された非看板情報を視認することができることから、この看板装置１が緊急時における端末充電設備であることを認識することができる。このため、緊急時の夜間において充電し得る携帯端末５１の台数をより多くすることを最も重要視する場合には、制御回路２５が、夜間において、各制御信号Ｓａ１，Ｓａ２のいずれも表示部２に出力しない点灯消灯制御を実行するようにしてもよい。これにより、夜間での表示部２における消費電力をほぼゼロにできて、その分だけ、さらに多くの携帯端末５１を充電することが可能となる。
【００４９】
このように、この看板装置１では、制御回路２５は、受信回路２４が緊急警報信号を受信していないとき（通常時）には、バックライト１３に対しては昼間は消灯させ、かつ夜間は点灯させる制御を実行する（看板として機能させる）と共に、鍵機構２７に対しては扉２８を閉状態に維持する制御を実行する（充電設備として機能しない状態に維持する）。一方、制御回路２５は、受信回路２４が緊急警報信号を受信したとき（緊急時）には、鍵機構２７に対して扉２８を開状態に移行させる制御を実行することにより、自重により軸線Ｌを中心として回転して開状態に移行した扉２８を介して複数の充電ケーブル３２（携帯端末５１用のコネクタ３３が接続された充電ケーブル３２の下端側の部位）を格納ボックス４から垂れ下がらせる（充電設備として機能させる）。
【００５０】
したがって、この看板装置１によれば、通常時には看板として機能しつつ、災害発生時のような緊急時においては充電設備として機能して、看板装置１の付近の人（被災者）たちに対して、格納ボックス４から垂れ下がっている充電ケーブル３２を用いた携帯端末５１の充電を可能にすることができる（つまり、被災者に対して、より多くの充電設備を提供することができる）。また、この看板装置１によれば、緊急時に格納ボックス４から充電ケーブル３２が垂れ下がるという構成（通常時とは異なる形態に変化する構成）のため、この看板装置１が充電設備も兼ねていて、かつ充電設備としての機能を発揮している状態にあることを、付近の人に対してより確実に認識させることができる。
【００５１】
また、この看板装置１によれば、表示部２におけるパネル１２の表面には、看板情報と共に、非看板情報（緊急時にこの看板装置１が携帯端末５１の充電設備となる旨を示す情報）が形成されているため、通常時および緊急時のいずれのときにおいても、昼間は、付近の人はこの非看板情報を視認することができることから、この看板装置１が緊急時における端末充電設備になることを付近の人に対して確実に認識させることができる。
【００５２】
また、この看板装置１によれば、緊急時の夜間には、表示部２には、看板情報は表示されずに、非看板情報（緊急時に携帯端末５１の充電設備となる旨を示す情報）のみがバックライト１３ｂから照射される照射光によって表示されるため、緊急時の夜間においても、この看板装置１が緊急時における端末充電設備であることを付近の人に対して確実に認識させつつ、バックライト１３ａを消灯させていることから表示部２での消費電力を大幅に低減できて、その分だけ、より多くの携帯端末５１を充電可能にすることができる。
【００５３】
なお、上記の看板装置１では、緊急警報信号を受信する受信回路２４を備えて、制御回路２５は、受信回路２４がこの緊急警報信号を受信したとき（具体的には、受信回路２４から緊急信号Ｓｂが出力されたとき）に緊急状態であることを検出する構成を採用しているが、緊急状態であることを検出する構成はこの構成（受信回路２４を備えた構成）に限定されない。例えば、図示はしないが、受信回路２４に代えて、商用電源（例えばＡＣ１００Ｖ）が予め規定された規定時間以上連続して入力されない状態（規定時間以上の連続した停電状態）を緊急状態として検出して緊急信号Ｓｂを制御回路２５に出力する緊急状態検出回路を設ける構成を採用することもできる。この場合の規定時間としては、非災害時においても発生し得る瞬停や落雷などに起因した一般的な停電（数秒から３〜４時間程度の停電）の発生を、災害などの緊急事態が発生したことに起因した停電の発生（つまり、緊急状態の発生）と誤って検出する事態を回避すべく、例えば、半日や１日以上の時間とするのが好ましい。
【００５４】
この構成を採用した看板装置においても、受信回路２４に代えて上記の緊急状態検出回路を設けた構成を除く他の構成は上記の看板装置１と同一であるため、上記した看板装置１の効果と同様の効果を奏することができる。
【００５５】
また、看板装置には、図１および図４に示す看板装置１Ａのように、商用電源（例えばＡＣ１００Ｖ）を入力する構成を採用すると共に、この入力される商用電源に基づいて他の作動用電力（第２作動用電力）Ｖｐｓ２を生成する他の電源回路（第２電源回路）４１を備えて、この作動用電力Ｖｐｓ２および電源回路（第１電源回路）２１で生成される作動用電力Ｖｐｓ（以下では、作動用電力Ｖｐｓ２と区別するため作動用電力Ｖｐｓ１と表記するものとする）を利用してバッテリ２２を充電する看板装置も存在している。以下では、端末充電設備として機能するために上記した看板装置１と同様の構成を備えたこの看板装置１Ａについて説明する。なお、看板装置１と同一の構成については同一の符号を付して重複する説明を省略する。
【００５６】
まず、看板装置の他の例である看板装置１Ａの構成について、図１および図４を参照して説明する。看板装置１Ａは、一例として、表示部２、太陽電池３、格納ボックス４および支柱５を備え、看板装置１と同様にして屋外に設置される。また、看板装置１Ａには、図１，４に示すように、電源ケーブル７を介して商用電源（ＡＣ１００Ｖ）が入力される。
【００５７】
格納ボックス４には、一例として、電源回路２１、バッテリ２２、端末用電源回路２３、制御回路２５、充電設備２６、鍵機構２７、電源回路４１および緊急状態検出回路４２が内蔵されている。また、格納ボックス４の底壁４ａには、開口部４ｂが形成されると共に、この開口部４ｂを閉塞するための扉２８が外開き式で開閉自在に取り付けられている。
【００５８】
電源回路４１は、入力される商用電源に基づいて作動用電力（直流電力）Ｖｐｓ２を生成する。この場合、電源回路４１は、ほぼ充電電圧Ｖｂａｔであるが、作動用電力Ｖｐｓ１よりも若干高い電圧で作動用電力Ｖｐｓ２を生成する。また、電源回路２１で生成される作動用電力Ｖｐｓ１および電源回路４１で生成される作動用電力Ｖｐｓ２については、図４に示すように、ダイオードオア回路４３を介して、バッテリ２２の負極端子と正極端子との間、端末用電源回路２３、制御回路２５、緊急状態検出回路４２、および表示部２の駆動回路１４に作動用電力Ｖｐｓとして供給する。
【００５９】
この構成により、商用電源が入力されているとき（作動用電力Ｖｐｓ２が生成されているとき）には、作動用電力Ｖｐｓ２が作動用電力Ｖｐｓとしてバッテリ２２などに供給され、一方、商用電源が入力されていないとき（作動用電力Ｖｐｓ２が生成されていないとき）であって、昼間の時（作動用電力Ｖｐｓ１が生成されているとき）には、作動用電力Ｖｐｓ１が作動用電力Ｖｐｓとしてバッテリ２２などに供給される。なお、ダイオードオア回路４３は、極めて簡易な構成で、各作動用電力Ｖｐｓ１，Ｖｐｓ２の一方を上記のようにして作動用電力Ｖｐｓとして出力できることから、最も好ましいが、同様の機能を有する回路であれば、ダイオードオア回路４３に限定されるものではない。例えば、作動用電力Ｖｐｓ１，Ｖｐｓ２の各電圧値を検出する検出回路と、この検出回路によって選択状態が切り換えられて各作動用電力Ｖｐｓ１，Ｖｐｓ２の一方を作動用電力Ｖｐｓとして選択して出力する切換スイッチとを有する回路を使用することもできる。
【００６０】
バッテリ２２は、昼夜を問わず、作動用電力Ｖｐｓ１および作動用電力Ｖｐｓ２のいずれか一方がダイオードオア回路４３を介して作動用電力Ｖｐｓとして供給されているときには、この作動用電力Ｖｐｓによって充電電圧Ｖｂａｔに充電され、夜間であって（つまり、作動用電力Ｖｐｓ１が生成されていないときであって）、商用電源が入力されていないとき（つまり、作動用電力Ｖｐｓ２が生成されていないとき）にのみ、電源回路２１，４１に代わって、充電（蓄電）されている電力（上記の充電電圧Ｖｂａｔ）を作動用電力Ｖｐｓとして、端末用電源回路２３、緊急状態検出回路４２、制御回路２５および表示部２の駆動回路１４に供給する。
【００６１】
電源回路４１は、商用電源が入力されているときには、商用電源に基づいて作動用電力Ｖｐｓ２を生成し、商用電源が入力されていないときには、商用電源に基づく作動用電力Ｖｐｓ２の生成を停止する。このため、本例の緊急状態検出回路４２は、一例として、作動用電力Ｖｐｓ２に基づいて（作動用電力Ｖｐｓ２の電圧値がほぼゼロに近い電圧値となっている状態が予め規定された規定時間以上連続しているか否かに基づいて）、作動用電力Ｖｐｓ２の電圧値がほぼゼロに近い電圧値となっている状態がこの規定時間以上連続していることを検出したときには、商用電源がこの規定時間以上連続して入力されていない緊急状態（緊急時）であることを検出する。また、緊急状態検出回路４２は、緊急状態（緊急時）であることを検出したときには、緊急信号Ｓｂを制御回路２５に出力する。なお、緊急状態検出回路４２が、作動用電力Ｖｐｓ２に代えて、商用電源の電圧値（例えば、整流平滑後の電圧値など）を直接的に検出して、緊急信号Ｓｂを出力する構成を採用することもできる。このようにして、緊急状態検出回路４２は、看板装置１における受信回路２４と同等の回路として機能する。
【００６２】
制御回路２５は、緊急状態検出回路４２からのこの緊急信号Ｓｂの入力の有無に基づいて緊急状態であるか否かを検出する緊急状態検出処理を実行する。この処理以外の処理については、制御回路２５は、看板装置１と同一に動作する。
【００６３】
次に、看板装置１Ａの動作について説明する。なお、看板装置１と同一の構成についての同一の動作については説明を省略する。
【００６４】
この看板装置１Ａでは、太陽電池３および電源回路２１が故障するなどの不具合が発生しない限りは、昼間、太陽電池３が起電力Ｖｓｏを発電するため、電源回路２１は、この起電力Ｖｓｏに基づいて作動用電力Ｖｐｓ１を常時出力している。このため、ダイオードオア回路４３からは、商用電源の入力の有無を問わず、作動用電力Ｖｐｓ（商用電源の入力があるときには作動用電力Ｖｐｓ２、商用電源の入力がないときには作動用電力Ｖｐｓ１）が出力されていることから、バッテリ２２は、この作動用電力Ｖｐｓにより、昼間、ほぼ満充電の状態（端子間電圧が充電電圧Ｖｂａｔの状態）に充電される。
【００６５】
また、制御回路２５を含む格納ボックス４内の各回路、および表示部２内の駆動回路１４は、昼間は、このようにしてダイオードオア回路４３から出力される作動用電力Ｖｐｓにより、また夜間は、商用電源の入力があるときにはダイオードオア回路４３から出力される作動用電力Ｖｐｓ（作動用電力Ｖｐｓ２）により、一方、商用電源の入力がないときにはバッテリ２２から供給される作動用電力Ｖｐｓにより、つまり、昼夜を問わず、ダイオードオア回路４３およびバッテリ２２のいずれかから供給される作動用電力Ｖｐｓにより、作動可能な状態となっている。なお、緊急状態検出回路４２および制御回路２５については、常時作動状態となっている。以下において、緊急状態検出回路４２が商用電源の規定時間以上の連続した停電を検出していない通常時（つまり、制御回路２５が常時実行している緊急状態検出処理において緊急信号Ｓｂの入力を検出していないとき）と、緊急状態検出回路４２が商用電源の規定時間以上の連続した停電を検出した緊急時（つまり、制御回路２５が常時実行している緊急状態検出処理において緊急信号Ｓｂの入力を検出しているとき）とに分けて、看板装置１Ａの動作を説明する。
【００６６】
最初に、通常時には、制御回路２５は、電圧監視処理を実行して、監視している起電力Ｖｓｏの電圧値が予め規定された電圧しきい値以下となるか否かに基づいて、昼間か夜間かを判別する。制御回路２５は、起電力Ｖｓｏの電圧値がこの電圧しきい値を超えているときには、昼間であると判別して、表示部２（表示部２の駆動回路１４）への制御信号Ｓａの出力を停止する点灯消灯制御を実行する。この場合、表示部２では、パネル１２の表面に形成された看板情報および非看板情報は、照射される太陽光によって表示される。
【００６７】
一方、制御回路２５は、起電力Ｖｓｏの電圧値がこの電圧しきい値以下のときには、夜間であると判別して、制御信号Ｓａ（この場合、各制御信号Ｓａ１，Ｓａ２）を表示部２に出力する点灯消灯制御を実行する。表示部２の駆動回路１４は、この制御信号Ｓａ１，Ｓａ２に基づいて、パネル１２の表面における看板情報の形成領域ＡＲ１に対応するバックライト１３ａ、およびパネル１２の表面における非看板情報の形成領域ＡＲ２に対応するバックライト１３ｂを点灯させる。これにより、表示部２では、看板情報および非看板情報が、点灯状態のバックライト１３ａ，１３ｂから照射される照射光によって表示される。
【００６８】
このようにして、通常時には、この看板装置１Ａでも、表示部２の看板情報および非看板情報が、昼間は照射される太陽光によって表示され、夜間は点灯状態のバックライト１３ａ，１３ｂから照射される照射光によって表示されるため、看板装置１Ａの付近を通過する人に対して常時（２４時間）、看板情報および非看板情報を表示することが可能となっている。これにより、看板装置１Ａは、看板装置１Ａの付近を通過する人に対して、常時、看板としての機能を発揮し得ると共に、緊急時にはこの看板装置１Ａが端末充電設備となることを知らしめることが可能となっている。
【００６９】
また、通常時には、制御回路２５は、端末用電源回路２３に対する制御処理として、端末用電源回路２３への生成開始信号Ｓｃの出力を停止する処理を実行する。これにより、端末用電源回路２３が作動用電力Ｖｐｓ（ダイオードオア回路４３およびバッテリ２２のいずれかから供給される作動用電力Ｖｐｓ）に基づく供給電圧Ｖｃｈの生成を停止するため、作動用電力Ｖｐｓについての不要な消費が回避される。また、制御回路２５は、鍵機構２７に対する制御処理として、鍵機構２７への解除信号Ｓｄの出力を停止する処理を実行する。これにより、扉２８の閉状態が維持されるため、看板装置１Ａの付近を通過する人に対して、充電設備２６を構成する各充電ケーブル３２へのアクセスを制限することが可能となっている。
【００７０】
一方、緊急時（災害などの緊急事態が発生して商用電源が規定時間以上連続して停電したとき）には、緊急状態検出回路４２が緊急信号Ｓｂを制御回路２５に出力する。制御回路２５は、常時実行している緊急状態検出処理において緊急信号Ｓｂの入力を検出して、災害などの緊急事態が発生したことを検出する。この場合、制御回路２５は、昼夜を問わず、端末用電源回路２３に対する制御処理として、生成開始信号Ｓｃを端末用電源回路２３に出力する処理を実行する。これにより、端末用電源回路２３は、昼間は、太陽電池３からの起電力Ｖｓｏに基づいて電源回路２１から出力される作動用電力Ｖｐｓ１（ダイオードオア回路４３からの作動用電力Ｖｐｓ）に基づいて、一方、夜間はバッテリ２２から出力される作動用電力Ｖｐｓに基づいて、供給電圧Ｖｃｈの生成を実行する。このため、災害などの緊急事態が発生して商用電源が停電しているときであっても、昼夜を問わず、充電設備２６を構成するすべての充電ケーブル３２に供給電圧Ｖｃｈが供給される。
【００７１】
また、制御回路２５は、緊急時には、昼夜を問わず、鍵機構２７に対する制御処理として、解除信号Ｓｄを鍵機構２７に出力する処理を実行する。これにより、鍵機構２７の係合突起２７ａ（本例ではプランジャの先端部）が、最も多く突出する状態（図２に示す状態）から最も少なく突出する状態（図３に示す状態）に移行する。このため、図３に示すように、鍵機構２７の係合突起２７ａと格納ボックス４の扉２８に配設された係合部２８ａ（その凹部）との係合状態が解除されて、扉２８が開状態に移行する。また、扉２８の開状態への移行に伴い、充電設備２６を構成するすべての充電ケーブル３２の下端側の部位が、格納ボックス４の底壁４ａに形成された開口部４ｂを介して格納ボックス４の外部（下方）に垂れ下がる。
【００７２】
したがって、看板装置１Ａの付近の人は、緊急時において、格納ボックス４から垂れ下がっている充電ケーブル３２にアクセスして（充電ケーブル３２を手で操作して）、充電ケーブル３２に接続されているコネクタ３３を自身の持つ携帯端末５１の充電用コネクタに連結することで、昼夜を問わず、端末用電源回路２３から充電ケーブル３２に供給される供給電圧Ｖｃｈで携帯端末５１を充電することができる。なお、制御回路２５による端末用電源回路２３に対する上記の制御処理と鍵機構２７に対する上記の制御処理の実行の先後については、いずれの制御処理を先に実行してもよい。
【００７３】
また、この看板装置１Ａでは、上記したように、電源回路２１からの作動用電力Ｖｐｓ１と電源回路４１からの作動用電力Ｖｐｓ２とが、ダイオードオア回路４３を介して作動用電力Ｖｐｓとして、バッテリ２２、端末用電源回路２３、制御回路２５、緊急状態検出回路４２および表示部２内の駆動回路１４に出力される構成のため、商用電源が停電状態から復帰したときには、電源回路４１からの作動用電力Ｖｐｓ２が、ダイオードオア回路４３を介して作動用電力Ｖｐｓとして、バッテリ２２、端末用電源回路２３、制御回路２５、緊急状態検出回路４２および表示部２内の駆動回路１４に出力される。
【００７４】
したがって、この場合には、看板装置１Ａでは、端末用電源回路２３は、昼夜を問わず、商用電源に基づいて電源回路４１から出力される作動用電力Ｖｐｓ２（ダイオードオア回路４３からの作動用電力Ｖｐｓ）に基づいて、供給電圧Ｖｃｈの生成を実行する。このため、看板装置１Ａでは、緊急事態の発生時において、商用電源が復帰した後は、バッテリ２２に蓄電されている電力の使用を大幅に低減しつつ（つまり、バッテリ２２の劣化を回避しつつ）、昼夜を問わず、充電設備２６を構成するすべての充電ケーブル３２に供給電圧Ｖｃｈが供給される。
【００７５】
これにより、この看板装置１Ａにおいても、通常時には看板として機能しつつ、災害発生時のような緊急時においては充電設備として機能して、看板装置１Ａの付近の人（被災者）たちに対して、格納ボックス４から垂れ下がっている充電ケーブル３２を用いた携帯端末５１の充電を可能にすることができる（つまり、被災者に対して、より多くの充電設備を提供することができる）等の上記した看板装置１の効果と同様の効果を奏することができる。
【符号の説明】
【００７６】
１，１Ａ  看板装置
２  表示部
３  太陽電池
４  格納ボックス
１３  バックライト
２１，４１  電源回路
２２  バッテリ
２３  端末用電源回路
２４  受信回路
２５  制御回路
２６  充電設備
２７  鍵機構
２８  扉
３２  充電ケーブル
３３  コネクタ
４２  緊急状態検出回路
Ｖｃｈ  供給電圧
Ｖｐｓ，Ｖｐｓ１，Ｖｐｓ２  作動用電力
Ｖｓｏ  起電力
【要約】
【課題】緊急時に携帯端末用の充電設備として機能させる。
【解決手段】太陽電池３およびその起電力Ｖｓｏから作動用電力Ｖｐｓを生成する電源回路２１と、作動用電力Ｖｐｓで充電されるバッテリ２２と、看板情報を昼間は太陽光で表示させ夜間はバッテリ２２の充電電圧Ｖｂａｔで作動するバックライト１３からの照射光で表示させる表示部２と、緊急警報信号を受信する受信回路２４と、充電電圧Ｖｂａｔから携帯端末用の供給電圧Ｖｃｈを生成する端末用電源回路２３と、携帯端末用のコネクタ３３が接続されて携帯端末に供給電圧Ｖｃｈを供給可能な複数の充電ケーブル３２と、充電ケーブル３２が格納された格納ボックス４と、扉２８と、鍵機構２７と、受信回路２４による緊急警報信号の受信時に扉２８を開状態に移行させる制御を鍵機構２７に実行して、開状態の扉２８を介して充電ケーブル３２を格納ボックス４から垂れ下がらせる制御回路２５とを備えている。
【選択図】図２【図１】
0006053239.tif 000002
【図２】
0006053239.tif 000003
【図３】
0006053239.tif 000004
【図４】
0006053239.tif 000005